(57)【特許請求の範囲】
【請求項１】
電子機器に装填可能なカード型ディスクドライブに装填可能な磁気ディスクカートリッジであって、
該磁気ディスクカートリッジが、前記ディスクドライブのスピンドルにより回転駆動されるセンターコアを中心部に固着したフレキシブルなシート状磁気ディスクをハウジング内に回転可能に収容してなるものであり、
該磁気ディスクが、その中心部において点支持状態で前記センターコアに固着されていることを特徴とする小型磁気ディスクカートリッジ。
【発明の詳細な説明】
【０００１】
【発明の属する技術分野】
本発明は、デジタルスチルカメラ、デジタルビデオカメラ、ノートパソコン等の電子機器のカードスロットに装填可能なカード型ディスクドライブに交換自在に装填可能な小型磁気ディスクカートリッジに関するものである。
【０００２】
【従来の技術】
従来、デジタルスチルカメラ、デジタルビデオカメラ、ノートパソコン等の電子機器のカードスロットには、種々の記録メディアが挿抜可能に装填され、記録再生をするようになっている。このような記録媒体としては、半導体メモリタイプのもの、ハードディスク型のもの、光ディスク型のもの、フロッピー（登録商標）ディスクのような磁気ディスクの小型のもの等、各種のものが実用に供されている。
【０００３】
【発明が解決しようとする課題】
この中では、半導体のメモリが取り扱いやすく、記録容量も適当に大きいので、最もポピュラーであるが、比較的価格が高い。したがって、これらのメモリを用いるデジタルカメラなどでは、撮影した画像データをパソコンなどに転送して保存し、その後データは削除し、記録媒体は繰返し使うのが一般的である。
【０００４】
ハードディスク型のものとしては、３４０MBや１GBの容量を持つものが知られているが、これも価格が高く、データは他に転送して保存し、記録媒体は繰返し使うことになる。
【０００５】
光ディスク型のものは大きさの割に記録容量が大きく、例えば３５ｍｍ×４１ｍｍ×１１ｍｍのサイズの中に２５６MBのデータを記録することができ、５１２MBの記録容量を持ったものも実現しようとしている。しかし、光ディスクは書込みに時間がかかるので記録速度が遅いという難点がある。
【０００６】
一方、フロッピー（登録商標）ディスクのような磁気ディスクを５０ｍｍ×５５ｍｍ×２ｍｍ程度の小型のものとし、これをパソコン等のカードスロットに挿入できるサイズのディスクドライブに交換自在に装填可能としたものも知られているが、これは容量が４０MBと小さく、カメラの画像を記録するという観点では容量不足であるし、大きさもデジタルカメラには向かない。
【０００７】
近年、デジタルカメラが、その記録の簡便さ、撮像素子の開発による画質の向上、データの削除や転送の可能性や記録容量の大きさなど、パソコンが普及した社会の背景と相俟って、急速に広く普及しているが、記録媒体（以下、メディアという）が上述のように価格や容量の面で制限されているため、その使用の態様に制限がある。例えば、メディアが高価であるため、１台のカメラにメディアを何枚も持つということはしないで、データが一杯になったらパソコンに移して削除するなどして、１枚のメディアを繰返し使用するのが普通であることは上述の通りである。そのため、旅先で記録媒体が足りなくなることがあり、またデータを入れたメディアをそのまま保存したり、人にあげたりするというようなことができない。
【０００８】
そこで、デジタルカメラで撮影したデータをそのまま保存したり、気軽に人にあげたりすることができるように、大容量で安価な小型のメディアの実現が望まれる。また、パソコンにおいても、データを入れて人に渡したりすることができる大容量で安価な小型のメディアの実現が望まれる。
【０００９】
そのような要望に応え、デジタルカメラで撮影したデータやパソコンのデータをそのまま保存したり、気軽に人にあげたりすることができるような大容量で安価な小型のメディアとして、パソコンやデジタルカメラなどの電子機器に装填可能なカード型ディスクドライブと、そのディスクドライブに装填可能な磁気ディスクカートリッジとからなるメディアが考えられる。すなわち、そのような磁気ディスクカートリッジとして、開閉シャッターを備えたハウジングに、高密度磁気記録が可能なフレキシブルな磁気ディスクを回転自在に収容し、例えば２００MB以上の記録容量を備えた磁気ディスクカートリッジとすることが考えられる。そのための高密度磁気記録媒体としては、蒸着法またはスパッタリング法により金属薄膜を施したもの、あるいはバリウムフェライト粉末や強磁性金属粉末を用いたもの等が採用できる。バリウムフェライト粉末を用いたものの例としては、本出願人が出願した特願２００１−３１２８６４号がある。
【００１０】
「バリウムフェライト粉末を用いた高記録密度磁気記録媒体」とは、磁性層にバリウムフェライト粉末を含有した磁気ディスクであって、高記録密度の実現が可能な材料を用いたものであり、例えば、特願２００１−２０５２９０に記載された、非磁性支持体の少なくとも一方の面に、非磁性粉末および結合剤を含む非磁性層と、六方晶系フェライト粉末である強磁性粉末および結合剤を含む磁性層とをこの順に有する磁気記録媒体であって、非磁性層が平均粒径１０〜３０ｎｍのカーボンブラックを前記非磁性粉末１００質量部に対して１０〜５０質量部含有し、磁性層の厚さが０．２μｍ以下であり、電子線マイクロアナリシスによる強磁性粉末に起因する元素の平均強度ａに対する強度の標準偏差ｂが０．０３≦ｂ／ａ≦０．４であり、かつ、磁性層の中心面平均粗さＲａが５ｎｍ以下、１０点平均粗さＲｚが４０ｎｍ以下である磁気記録媒体である。この材料を用いた磁気ディスクに対しては、例えば高記録密度の可能なＭＲヘッド、ＧＭＲヘッド、ＴＭＲヘッド等の磁気ヘッドを用いて情報の記録再生を行う。
【００１１】
上記メディアによれば、直径３０ｍｍ程度のもので、記録容量２００MB以上、好ましくは５００MB以上の高記録密度のメディアを実現することができ、これにより、例えば静止画であれば一枚約１MBとして、５００枚記録させることができ、また動画であれば３０分程度の映像コンテンツを記録できるようになる。したがってデジタルカメラで撮影した動画や、携帯電話で配信される動画等を記録することができ、コンテンツを使用する際のユーザーの利便性を向上させることができる。また、もちろんパソコンにおいても安価な大容量のデータ保存メディアとして便利に利用することができ、その利便性は大きい。
【００１２】
なお、電子機器に装填可能なカード型ディスクドライブとは、一般に電子機器がパソコンの場合は、図１(ａ)に示すように、ＰＣカードのカードスロットに挿入されるカード２の受容部のソケット４に電気的に接続されて装填されるディスクドライブ６であり、デジタルカメラ３などの小型の電子機器の場合には、図１(ｂ)に示すように、電子機器側の受容部５のソケットに電気的に接続されて装填されるディスクドライブ６である。そして、これらのディスクドライブ６に小型の磁気ディスクカートリッジ８が挿抜可能に装填される。
【００１３】
したがって、上記ディスクドライブ６は極めて小型であり、例えば３８ｍｍ〜５５ｍｍの長さと３５ｍｍ〜５１ｍｍの幅と３ｍｍ〜５ｍｍの厚さを有し、磁気ディスクカートリッジ８は、例えば２５ｍｍ〜３６ｍｍの長さおよび幅と１ｍｍ〜３ｍｍの厚さを有する。この磁気ディスクカートリッジ８は、ハウジング内にフレキシブルな磁気ディスクを回転可能に収容してなるものである。
【００１４】
ところで、磁気ディスクの高記録密度化が進むにつれて、磁気ディスクと磁気ヘッドとのスペーシングの変動による記録再生特性の劣化や、狭トラック化に伴う円周方向での記録トラックの微小な変動等が問題となる。
【００１５】
従来の小型磁気ディスクカートリッジは、例えば図５に示すような構成を有し、上シェル１２ａと下シェル１２ｂとの接合により扁平形状に形成されたハウジング１２内にフレキシブルなシート状磁気ディスク１４が回転可能に収容され、磁気ディスク１４の中心部には、上記ディスクドライブ６のスピンドルにより回転駆動されるセンターコア１５が固着された構成を有する。下シェル１２ｂにはセンターコア１５を外部に臨ませる開口１６が形成されている。なお、すべての図において、構造を明確にするために各部の厚み等を実際の寸法とは異なる比率で示してある。
【００１６】
図５においては、センターコア１５が、ディスクドライブ６のスピンドルに例えば磁気吸着によって結合されるチャッキング部１５ａを下部に備え、上部には、磁気ディスク１４の中心孔に挿通される軸部１５ｂと、磁気ディスク１４の中心孔の周囲部分が接着される環状の上面１５ｄを軸部１５ｂの周囲に備えたフランジ１５ｃとが設けられている。
【００１７】
しかしながら、このような構成においては、磁気ディスク１４をセンターコア１５に固着した場合、センターコア１５に対する磁気ディスク１４の固着部分の周囲に皺や歪みが発生しやすくなる。
【００１８】
一方、磁気ディスク１４の小型化に伴い、センターコア１５と、磁気ディスク１４の記録領域の最内周との間の半径方向の距離が短くなるため、図５に示すような構成では、シート状磁気ディスク１４に発生した皺や歪みが記録領域の内周部分に悪影響を与え、回転中に面ぶれが発生して、ヘッドタッチが不安定になる等、記録再生において影響が大きくなる。
【００１９】
上述の事情に鑑み、本発明は、電子機器に装填可能なカード型ディスクドライブに装填可能な薄型および小型で記録容量も大きく、かつ面振れの少ない安定した回転が得られてヘッドタッチが良好で記録再生特性に優れた小型磁気ディスクカートリッジを提供することを目的とするものである。
【００２０】
【課題を解決するための手段】
本発明による小型磁気ディスクカートリッジは、電子機器に装填可能なカード型ディスクドライブに装填可能な磁気ディスクカートリッジであって、
この磁気ディスクカートリッジが、ディスクドライブのスピンドルにより回転駆動されるセンターコアを中心部に固着したフレキシブルなシート状磁気ディスクをハウジング内に回転可能に収容してなるものであり、
上記磁気ディスクが、その中心部において点支持状態でセンターコアに固着されていることを特徴とするものである。
【００２１】
磁気ディスクとセンタ−コアとの固着部分は、回転中心と同心の円を形成していることが好ましく、ここで「点支持状態」とは、磁気ディスクの中心部のセンターコアに対する固着部分の直径が、センターコアの磁気ディスクに対向する部分の直径の２０％以下、好ましくは１０％以下、さらに好ましくは５％以下であると定義する。すなわち、センターコアの磁気ディスクに対向する部分の直径を例えば１０ｍｍとした場合、固着部分の直径は２ｍｍ以下、好ましくは１ｍｍ以下、さらに好ましくは０．５ｍｍ以下となる。
【００２２】
また、センターコアと磁気ディスクとの固着方法は、接着剤による接着および／または固定用ピンの圧入による機械的な固定を含む。
【００２３】
【発明の効果】
上記のように構成された本発明の磁気ディスクカートリッジによれば、磁気ディスクが、その中心部の僅かな面積部分において点支持状態でセンターコアに固着されていることにより、磁気ディスクの中心部の周囲に皺や歪みが生じにくく、したがって回転時における磁気ディスクの平面性が保たれて、安定したヘッドタッチを確保することができる。
【００２４】
また、ディスクドライブの組立て寸法精度やカートリッジ組立て寸法精度を吸収することも可能になり、さらに、磁気ディスクをセンターコアに固着する作業が、従来の環状に固着する作業よりも簡単である利点もある。
【００２５】
【発明の実施の形態】
以下、本発明による磁気ディスクカートリッジの実施の形態を図面に基づいて説明する。図２は、本発明による磁気ディスクカートリッジの一実施の形態を概略的に示す断面図である。
【００２６】
図２に示すように、磁気ディスクカートリッジ８は、扁平なハウジング１２内にフレキシブルなシート状かつ円盤状の磁気ディスク１４を回転自在に収容してなるものである。この磁気ディスク１４は、中心孔を備えておらず、２００MB以上の記録容量を有するような材料からなっていて、例えば前述のバリウムフェライト粉末を含む高記録密度の磁性層を備えた高記録密度磁気記録媒体からなる。
【００２７】
センターコア１５は、ディスクドライブ６のスピンドルに例えば磁気吸着によって結合されるチャッキング部１５ａを下部に備え、上部には、平坦な上面１５ｄを備えたフランジ１５ｃを備えている。下シェル１２ｂにはセンターコア１５を外部に臨ませる開口１６が形成されている。そして、磁気ディスク１４は、その下面の中心部において、接着剤１８によってセンターコア１５の上面１５ｄの中心に点支持状態で固着されている。ここでの「点支持状態」とは、磁気ディスク１４のセンターコア１５に対する固着部分の直径が、センターコア１５のフランジ１５ｃの直径の２０％以下、好ましくは１０％以下、さらに好ましくは５％以下であることを意味する。すなわち、センターコア１５のフランジ１５ｃの直径を例えば１０ｍｍとした場合、固着部分の直径は２ｍｍ以下、好ましくは１ｍｍ以下、さらに好ましくは０．５ｍｍ以下となる。
【００２８】
図３は、本発明による磁気ディスクカートリッジの別の実施の形態を示し、この場合は、センターコア１５がフランジ１５ｃを備えておらず、その代わりにセンターコア１５の上部は截頭円錐部１５ｅを形成し、この截頭円錐部１５ｅの小面積の上端面に磁気ディスク１４の下面の中心部が接着剤１８によって点支持状態で固着された構成を有する。
【００２９】
図４は、本発明による磁気ディスクカートリッジのさらに別の実施の形態を示し、本実施の形態では、そのセンターコア１５が図２に示したものと略同様の構成を有するが、磁気ディスク１４の中心部が、上方から磁気ディスク１４を貫通してフランジ上面１５ｄに圧入されるピン２０によって機械的にフランジ上面１５ｄに点支持状態で固着された構成を有する。なお、図２に示した接着剤１８による固着と、ピン２０による機械的固着とを併用してもよい。
【００３０】
以上の説明で明らかなように、本発明による磁気ディスクカートリッジ８は、その磁気ィスク１４が、その中心部の僅かな面積部分において点支持状態でセンターコア１５に固着されているから、磁気ディスク１４の中心部の周囲に皺や歪みが生じにくく、したがって回転時における磁気ディスク１４の平面性が保たれて、安定したヘッドタッチを確保することができる。
【００３１】
また、特に図３に示す構成のように、磁気ィスク１４がセンターコア１５の截頭円錐部部１５ｅの上端面に固着されている場合、フレキシブルなシート状磁気ディスク１４が下方に動き得る、いわゆる逃げが存在するから、ディスクドライブ６の組立て寸法精度やカートリッジ組立て寸法精度を吸収することが可能になる。さらに、磁気ディスク１４をセンターコア１５に固着する作業が、図５に示す従来の磁気ディスクカートリッジ８′における環状に固着する作業よりも簡単である利点もある。
【図面の簡単な説明】
【図１】本発明による磁気ディスクカートリッジを電子機器に装填する態様を示す説明図
【図２】本発明による小型磁気ディスクカートリッジの実施の形態を概略的に示す断面図
【図３】本発明による小型磁気ディスクカートリッジの別の実施の形態を概略的に示す断面図
【図４】本発明による小型磁気ディスクカートリッジのさらに別の実施の形態を概略的に示す断面図
【図５】従来の磁気ディスクカートリッジの構成を概略的に示す断面図
【符号の説明】
６    ディスクドライブ
８，８′    磁気ディスクカートリッジ
１２    ハウジング
１２ａ    上シェル
１２ｂ    下シェル
１４    磁気ディスク
１５    センタコア
１８    接着剤
２０    ピン
【図１】
0003712374.tif 000002
【図２】
0003712374.tif 000003
【図３】
0003712374.tif 000004
【図４】
0003712374.tif 000005
【図５】
0003712374.tif 000006